(57)【特許請求の範囲】
【請求項１】
側板に開口部を設け、この開口部にこれを開閉する側蓋を回動可能に設けたコンテナーにおいて、前記側蓋がヒンジを介して屈折可能な上部材と下部材とからなり、側蓋下部材がリンクを介して開口部より下側の側板に回動可能に接続され、前記リンクと下側側板とは第１の軸により回動可能に結合され、前記リンクと側蓋下部材とは側蓋下部材の長孔を通る第２の軸により回動且つ引き出し可能に結合され、側蓋の上部材及び下部材と開口部の両側の側板との間には水平方向の動きを係止し且つ前記引き出し状態で係合が解除される係合部が設けられていることさらに開口部より下側の側板が折り畳まれた側蓋の上端部を受ける凹部を有することを特徴とする側部から出し入れ可能なコンテナー。
【請求項２】
前記側蓋のヒンジが外方から見て谷折り可能なヒンジであることを特徴とする請求項１に記載のコンテナー。
【請求項３】
前記長孔が側蓋と側板との係合部における係合を解除できるに十分な上方への引き出し寸法を有することを特徴とする請求項１または２に記載のコンテナー。
【請求項４】
前記リンクが折り畳まれた側蓋を垂下させるに十分な引き出し寸法を有することを特徴とする請求項１乃至３の何れかに記載のコンテナー。
【請求項５】
前記係合部が開口部の両側の側板に設けられた上方開口の受けと、側蓋の両側に設けられた係止片とからなることを特徴とする請求項１乃至４の何れかに記載のコンテナー。
【請求項６】
開口部より上側の側板に、貫通切り欠き部を介して区画された屈曲可能な側蓋把持用指挿入部が設けられていることを特徴とする請求項１乃至５の何れかに記載のコンテナー。
【請求項７】
前記コンテナーが上枠と、底板と、上枠及び底板に端部が枢着され且つ中央で折り曲げ可能な対向する一対の第１の側板と、上端が上枠に回動可能に枢着された一対の第２の側板とからなる折り畳みコンテナーである請求項１乃至６の何れかに記載のコンテナー。
【発明の詳細な説明】
【０００１】
【発明の属する技術分野】
本発明は、段積み状態で側部からの収納品の出し入れが可能なコンテナーに関する。
【０００２】
【従来の技術】
従来、上枠と、底壁と、上枠及び底壁に端部が枢着され且つ中央で折り曲げ可能な対向する一対の側壁と、上端が上枠に回動可能に枢着された一対の第２の側壁とからなる折り畳みコンテナーは、物品収納時には段積みが可能であり、また物品の非収納時には容積の縮小が可能であるため、流通の分野で広く使用されている。
【０００３】
側板に開口部を設け、この開口部にこれを開閉する側蓋を回動可能に設けたコンテナーも既に知られており、例えば特公平１−５６９８２号公報には、容器の側部に側部開口部を設け、この側部開口部を開閉する側蓋を回動自在に取り付けるものにおいて、容器の側部開口部の左右両側縁部の下部に下軸受け部を設け、下軸受け部にリンク部の上端部を軸により取り付け、リンク部の下端部に設けた横貫通孔に側蓋の下部の蓋側軸受け部を軸により取り付け、側部開口部の左右両側縁部の下軸受け部より下方のリンク部の下部に設けた横貫通孔に対応する位置に貫通孔を設けてこの貫通孔を第２の下軸受け部として成ることを特徴とする容器の側蓋の取り付け構造が記載されている。
【０００４】
【発明が解決しようとする課題】
上記従来技術の側蓋の取り付け構造では、各貫通孔に通す軸を代えることにより、側蓋の開きを１８０度でも９０度でも選べるという利点を有するものであるが、側蓋全体が１８０度下向き或いは９０度横向きに突出しているため、開口部からの収容物の取り出しが必ずしも容易でないという問題を未だ有している。即ち、側蓋が１８０度下向きに開かれた状態では、段積み状態で下にある容器の開口部が塞がれるため、下箱からの収容物の取り出しが困難となり、側蓋が９０度横向きに開かれた状態では、側蓋が邪魔となって作業者がかなり腕を伸ばした状態でしか収容物を取り出せなかったり、或いは奥の方の収容物の取り出しが困難となったりする事態を生じる。
【０００５】
加えて、従来の側蓋による開閉機構においては、側蓋上部と、側壁開口部上部との間に、別体として製造された格別のロック機構を設けねばならず、このロック機構の製造及び取付のための費用を要するという点でも未だ改善の余地がある。
【０００６】
従って、本発明の目的は、側蓋の一部での開口操作や、側蓋の全体の折り畳んだ状態での開口操作が可能であり、これにより、物品の種類や、充填状態に応じて、開口状態を選択でき、しかも開口部からの収容物の取り出し操作や収納操作が段積み状態においても容易に行われると共に、側蓋の側壁へのロック操作も、別体として製造された格別のロック機構を用いることなく、容易にしかも確実に行われ、しかも開口部が側蓋と側板との係合により補強され、その結果開口部の強度低下も低く抑制されているコンテナーを提供するにある。
【０００７】
【課題を解決するための手段】
本発明によれば、側板に開口部を設け、この開口部にこれを開閉する側蓋を回動可能に設けたコンテナーにおいて、前記側蓋がヒンジを介して屈折可能な上部材と下部材とからなり、側蓋下部材がリンクを介して開口部より下側の側板に回動可能に接続され、前記リンクと下側側板とは第１の軸により回動可能に結合され、前記リンクと側蓋下部材とは側蓋下部材の長孔を通る第２の軸により回動且つ引き出し可能に結合され、側蓋の上部材及び下部材と開口部の両側の側板との間には水平方向の動きを係止し且つ前記引き出し状態で係合が解除される係合部が設けられていることさらに開口部より下側の側板が折り畳まれた側蓋の上端部を受ける凹部を有すること、を特徴とする側部から出し入れ可能なコンテナーが提供される。
本発明のコンテナーにおいては、
１．前記側蓋のヒンジが外方から見て谷折り可能なヒンジであること、
２．前記長孔が側蓋と側板との係合部における係合を解除できるに十分な上方への引き出し寸法を有すること、
３．前記リンクが折り畳まれた側蓋を垂下させるに十分な引き出し寸法を有すること、
４．前記係合部が開口部の両側の側板に設けられた上方開口の受けと、側蓋に設けられた係止片とからなること、
５．開口部より上側の側板に、貫通切り欠き部を介して区画された屈曲可能な側蓋把持用指挿入部が設けられていること、
が好ましい。
本発明は、任意のコンテナーに適用できるが、上枠と、底壁と、上枠及び底壁に端部が枢着され且つ中央で折り曲げ可能な対向する一対の側壁と、上端が上枠に回動可能に枢着された一対の第２の側壁とからなる折り畳みコンテナーに好適に適用できる。
【０００８】
【発明の実施の形態】
本発明は、側板に開口部を設け、この開口部にこれを開閉する側蓋を回動可能に設けたコンテナーに関するが、（ａ）側蓋をヒンジを介して屈折可能な上部材と下部材とから形成したこと、（ｂ）側蓋下部材をリンクを介して開口部より下側の側板に回動可能に接続したこと、（ｃ）リンクと下側側板とを第１の軸により回動可能に結合し、且つリンクと側蓋下部材とを側蓋下部材の長孔を通る第２の軸により回動且つ引き出し可能に結合したこと、（ｄ）側蓋の上部材及び下部材と開口部の両側の側板との間には水平方向の動きを係止し且つ前記引き出し状態で係合が解除される係合部を設けたこと、及び(e)開口部より下側の側板が折り畳まれた側蓋の上端部を受ける凹部を有すること、が特徴である。
【０００９】
本発明では、上記構成（ａ）により、側蓋が折り畳み可能となり、側蓋を折り畳んだ状態で開口操作が可能となり、また側蓋を真っ直ぐ延ばした状態での開口部の閉鎖が可能となる。
【００１０】
また、前記構成（ｂ）により、側蓋全体が側板に対して回動可能となって、側蓋の開閉が容易となると共に、両者の間にリンクを介在させることにより、後述するリンクの結合方式（ｃ）と相俟って、側蓋の回動操作並びに係止及び係止解除操作が円滑に行われる。
【００１１】
更に、前記構成（ｃ）では、リンクが下側側板に対して、第１の軸により回動可能に設けられ、これに伴って、リンクが第１の軸を中心として回動可能になると共に、側蓋下部材がリンクに対して、第２の軸により回動可能に設けられ、これに伴って、側蓋下部材が第２の軸を中心として回動可能となる。しかも、側板下部材には長孔（係止状態で上下方向に延びる長孔）が設けられ、上記第２の軸はこの長孔を通るように設けられているので、側板下部材、従って側板全体が長孔の方向に引き出し可能となる。
【００１２】
更にまた、前記構成（ｄ）のように、側蓋の上部材及び下部材と開口部の両側の側板との間には、水平方向の動きを係止し且つ前記引き出し状態で係合が解除される係合部を設けたため、側蓋を上方に引き出した状態では、側蓋と側板との係合解除と側蓋の折り畳み及び回動とが可能となり、一方側蓋を下方に引き落とした状態では、この係合部を介して側蓋と側板とが係合し、開口部を閉じることが可能となる。しかも、開口部を側蓋で閉めた状態では、側蓋の上部材も下部材も共に開口部の両側の側板と前記係合部を介して係合しているので、開口部における強度低下が少ないという利点が達成される。
【００１３】
本発明において、側蓋のヒンジは、コンテナーの外方から見て、谷折り可能なヒンジであっても、或いは山折り可能なヒンジであってもよいが、側蓋を開いた状態において、側蓋上部材が自由に垂れ下がるのを防止するためには、谷折り可能なヒンジであることが有利である。即ち、側蓋上部材及び下部材を谷折りとすることにより、上部材の自由な動きが下部材及び側板により規制され、上部材の垂れ下がりを生じることがない。加えて、折り畳みコンテナーにおいては、長側板はヒンジを介して谷折り可能に設けられるが、側蓋も谷折り可能にしておけば、側板のヒンジと側蓋のヒンジとを実質上同軸とすることにより、側蓋が側板と係合されている状態で、側板全体を折り畳むことが可能となる。
【００１４】
本発明では、側蓋下部材に設ける長孔は、側蓋と側板との係合部における係合状態を解除するに足る上方への引き出し寸法を有するものであるべきである。
【００１５】
本発明のコンテナーにおいては、ヒンジを介して上部材と下部材とが折り畳み可能に設けられているので、物品の種類や、物品の収納状態に応じて、側蓋のうち上部材のみを開くこともできるし、また、側蓋全体を折り畳んで開くこともできる。
【００１６】
前者の開口を行うには、側蓋を上方に引き出し、上部材と対応側板との係合状態を解除し、一方、下部材と対応側板との係合状態は維持することにより、上部材がヒンジを中心として手前に回動し、上部材のみによる開口が可能となる。
【００１７】
後者の開口を行う場合にも、折り畳まれた側蓋は下方に垂下した状態にしておくこともできるし、またほぼ水平に延びている状態とすることもできる。これら何れの場合にも、側蓋が折り畳まれているので、開口部からの収容物の取り出し操作や収納操作の邪魔となることがなく、段積み状態においても、下方のコンテナーからの取り出し等も容易に行われるという利点がある。
【００１８】
垂下型開口の場合、リンクは、折り畳まれた側蓋を垂下させるに十分な引き出し寸法を有することが好ましい。即ち、この垂下状態では、リンクはほぼ水平に且つ前方に回動した状態にあるが、この状態で、側蓋の下部材と側板との間には、側蓋上部材が収納されるような空間が残されている必要がある。
【００１９】
また、水平型開口の場合、開口部より下側の側板に、折り畳まれた側蓋上部材の上端部を受ける凹部を設けておくことにより、折り畳まれた側板を実質上水平に維持することができる。この態様では、段積み状態のコンテナーにおいて、開口部が既に開いている状態のコンテナーの下のコンテナーから開口部を開けて、収納物の出し入れを行うことが容易となる。
【００２０】
本発明に用いる係合部は、開口部の両側の側板に設けられた下向きの受けと、側蓋に設けられた係止片とからなることが、係合部の構造を最も単純で複雑でないものとしながら、両者の係合状態を確実且つ強固なものとする上で望ましい。即ち、側蓋の係止片を上方から受け内に挿入することにより、確実に係止状態となり、係止片を受けから取り出すことにより、係止解除を行うことが可能となる。
【００２１】
本発明のコンテナーにおいては、開口部より上側の側板に、貫通切り欠き部を介して区画された屈曲可能な側蓋把持用指挿入部を設けることが好ましく、この構成により、指の挿入による側蓋上端縁の把持と、上方への側蓋の引き出しとが容易に行われると共に、側蓋を閉じた状態において、側板の無駄な開口面積を可及的に小さくすることが可能となり、コンテナー内部へのゴミ等の侵入を有効に防止することが可能となる。
【００２２】
本発明は、上枠と、底壁と、上枠及び底壁に端部が枢着され且つ中央で折り曲げ可能な対向する一対の側壁と、上端が上枠に回動可能に枢着された一対の第２の側壁とからなる折り畳みコンテナーに特に有利に適用することができる。既に指摘したとおり、側蓋が折り畳み可能であり、しかも側蓋上部材及び下部材が対応する側板と係合しているので、側蓋が側板と係合されている状態で、側板全体を折り畳むことが可能となり、折り畳みに際して格別の面倒な操作は一切不要である。
【００２３】
本発明のコンテナーにおける開口部の開閉操作は、次のように行われる。
▲１▼開口部が側蓋で閉じている状態では、第２の軸は長孔の下側に位置しているが、側蓋はこの長孔の寸法だけ上方に持ち上げ可能となっているので、先ず、側蓋を上方に引き出す。これにより、側蓋の上部材及び下部材と開口部の両側の側板との係合が解除される。
▲２▼この係合解除により、側蓋の上部材と下部材とが両者の間のヒンジを介して折り畳み可能となると共に、側蓋は第１の軸の周りに回動可能となるので、側蓋を折り畳んだ状態で、作業者の手前に回動させる。
▲３▼開いた側蓋の固定は、折り畳まれた側蓋をリンクから下方に垂下した状態にするか、或いは側板上部材の上端縁を側板の凹部に形成させ、ほぼ水平に延びた状態にすることにより行われる。この状態で、側板の開口部を経て物品の出し入れを行う。
▲４▼物品の出し入れが終了した場合、折り畳まれた側板を上記と逆方向に回動させると共に、側蓋上部材と下部材とを真っ直ぐ伸ばし、側蓋を上に引き出した状態において、側蓋の上部材及び下部材と開口部の両側の側板とを係合部で係止させて、開口部を側蓋で閉じる。
【００２４】
以上の本発明によれば、側蓋の一部での開口操作や、側蓋の全体の折り畳んだ状態での開口操作が可能であり、これにより、物品の種類や、充填状態に応じて、開口状態を選択でき、しかも開口部からの収容物の取り出し操作や収納操作が段積み状態においても容易に行われると共に、側蓋の側壁へのロック操作も、別体として製造された格別のロック機構を用いることなく、容易にしかも確実に行われ、しかも開口部が側蓋と側板との係合により補強され、その結果開口部の強度低下も低く抑制されるという利点がある。
【００２５】
【実施例】
図１は本発明のコンテナーの一例の一部断面正面図であり、
図２は図１のコンテナーの一部断面側面図であり、
図３はコンテナーの右半分を上面及び左半分を底面で示す上面及び底面図であり、
図４は図１のコンテナーを折り畳んだ状態で示す正面断面図であり、
図５はリンクの詳細構造を示す正面、両側面、側面断面、水平断面及び底面図であり、
図６は側蓋下部材の長孔と第２の軸との関係を示す説明図であり、
図７は係合部の拡大断面図であり、
図８は本発明のコンテナーの他の好適な例の正面図であり、
図９は図８のコンテナーの側蓋における長孔及びリンクの状態を示す説明図であり、
図１０は図８のコンテナーにおける側蓋の開口状態での固定状態を示す側面図である。
【００２６】
本発明のコンテナーの一例（折り畳みコンテナー）を示す図１乃至３において、このコンテナーは、上枠１と、底壁２と、上枠及び底壁に端部が枢着され且つ中央で折り曲げ可能な対向する一対の第１の側壁（長側板）３、３と、上端が上枠に回動可能に枢着された一対の第２の側壁（短側板）４、４とからなる。
【００２７】
上枠１は四辺形で高さの短い枠からなっていて、その短辺側中央には、上下にくぼみを形成した把持部１１が設けられている。
底壁２はフラットな内面２１と、クロス状の補強リブ構造２２から成る外面とを有していて、この補強リブ構造２２は外面周囲２３よりも下方に突出していて、この補強リブ構造２２が上枠１の内面１２よりも内側に挿入されることにより、段積み可能となっている。
【００２８】
長側板３は、ヒンジ３１を介して谷折り可能に接続された上板３２と下板３３とから成っており、上板３２は軸３４を介して上枠１に回動可能に、また下板３３は軸３５を介して底板２に回動可能にそれぞれ設けられている。かくして、コンテナーの折り畳み時には、長側板３は、上板３２と下板３３とがヒンジ３１を介して谷折りされた状態で上枠１及び底板２内に収納されることが了解されよう。
【００２９】
短側板４は、その上部において、軸４１を介して上枠１に回動可能に取り付けられている。短側板４の少なくとも周囲には補強リブ構造４２が形成されており、その下方リブ４３の内面側には、小さな切り欠き部４４が形成されている。
一方、底板２は高さの小さな周囲壁２４を備えていると共に、この周囲壁２４から小間隔をおいて、小さな突起２５を備えている。
物品収納状態に組み立てられたコンテナーにおいては、図１に示すとおり、短側板４の下方リブ４３の外方先端が底板の周囲壁２４に係合すると共に、前記切り欠き部４４と底板の突起２５とが係合して、短側板４の固定が行われる。また、折り畳み時には、短側板４の下方リブ４３が突起２５を乗り越えて回動することにより、短側板の折り畳みも可能となる。
対向する両短側板４、４の軸４１、４１は高さを若干変えて設けてあり、両短側板の内側への回動による折り畳みが円滑に行えるようにしてある。
【００３０】
図１のコンテナーにおいては、長側板３に開口部５を設け、この開口部５にこれを開閉する側蓋６を回動可能に設ける。側蓋６はヒンジ６１を介して屈折可能な上部材６２と下部材６３とから形成され、側蓋下部材６３はリンク７を介して開口部５より下側の側板３６に回動可能に接続される。リンク７と下側側板３６とは、第１の軸７１により回動可能に結合され、一方、リンクやと側蓋下部材６３とを側蓋下部材６３の長孔６４（図６参照）を通る第２の軸７２により回動且つ引き出し可能に結合されている。また、側蓋の上部材６２と開口部の両側の上板３２との間には水平方向の動きを係止し且つ前記引き出し状態で係合が解除される係合部８１、８１が設けられ、側蓋の下部材６３と開口部の両側の下板３３との間にも水平方向の動きを係止し且つ前記引き出し状態で係合が解除される係合部８２、８２が設けられている。
【００３１】
側蓋６は、当然のことながら、開口部５にはまり込む形状及び寸法を有すると共に、上部材６２と下部材６３との間のヒンジ６１は、長側板の上板３２と下板３３との間のヒンジ３１と実質上同軸となっていて、長側板と同様に谷折り可能となっている。かくして、側蓋６が長側板３と係合されている状態で、側板全体を折り畳むことが可能となっている。
【００３２】
側蓋下部材６３の下方には、垂直リブ６５ａ、６５ｂ及び水平リブ６６で囲まれ、外方及び下方に開口している凹部６４が左右に一対設けられ、これに対応して、開口部５より下側の長側板下部材３６の上方には、垂直リブ３８ａ、３８ｂで囲まれ、外方及び上方に開口している凹部３７が左右に一対設けられている。
これらの凹部６４、３７には、以下に説明するリンク７が設けられている。
【００３３】
リンク７の詳細な構造を示す図５において、リンク７は全体が矩形の形状をした本体７３と、軸状突起部７４ａ、７４ｂを備えた一方の側壁部７５と、ピン孔７６ａ、７６ｂを備えた他方の側壁部７７とから成っている。側壁部７５、７７は、その両端において、突起部７４ａ、７４ｂ及びピン孔７６ａ、７６ｂを中心とした半円形の形に成形されている。リンク本体の他方の側壁部７７のピン孔７６ａ、７６ｂには、ピン７８ａ、７８ｂが挿入されている。
【００３４】
下部材６３の垂直リブ６５ａ（６５ｂ）及び長側板下部材３６の垂直リブ３８ａ（３８ｂ）の詳細構造を示す図６において、垂直リブ６５ａ（６５ｂ）には垂直方向に延びる長孔６４が形成されている。一方、及び長側板下部材３６の垂直リブ３８ａ（３８ｂ）には、前記突起部７４ｂ或いはピン孔７６ｂに対応するピン孔３９が形成されている。
【００３５】
リンク７の一方の突起部７４ａを長孔６４に且つ他方の突起部７４ｂをピン孔３９に挿入し、リンク本体７１を凹部６４、３７にはめ込んだ後、ピン７８ａを、ピン孔７６ａを介して長孔６４に通し、ピン７８ｂを、ピン孔７６ｂを介してピン孔３９に通すことにより、側蓋下部材６３と下板３３とがリンクを介して回動可能に連結される。この具体例においては、突起部７４ｂ及びピン７８ｂが第１の軸７１となり、突起部７４ａ及びピン７８ａが第２の軸７２となる。また、下板３３に対して第１の軸７１を中心としてリンク７が回動可能になり、リンク７に対して第２の軸７２を中心として蓋下部材６３が回動可能となる。更に、蓋下部材６３はリンク７に対して長孔６４の方向に移動可能となる。
【００３６】
図６において、（Ａ）は側蓋６（下部材６３）が引き落とされている状態を示し、一方、（Ｂ）は側蓋６（下部材６３）が上方に引き出されている状態を示す。状態（Ａ）では、軸７２（突起部７４ａ或いはピン７８ａ）が長孔６４の最上昇位置にあり、状態（Ｂ）では、軸７２（突起部７４ａ或いはピン７８ａ）が長孔６４の最下降位置にあって、側蓋６は長孔６４の寸法だけ引き出し及び引き落とし可能となっている。
【００３７】
側蓋と長側板との係合部８１（８２）は、側蓋上部材３２及び下部材３３の各々の両側に少なくとも１個ずつ設けられた係止片８３と、この係止片に対応して、長側板の上板３２及び下板３３の各々に設けられた上方開口の受け８４とから成っている。係止片８３は前述した開口部５よりも外方に突出して設けられており、一方、受け８４は、図７の部分断面図に示すとおり、上板及び下板の外面８５よりも小間隔だけ外方に突き出した垂直の押さえ部８６と、この押さえ部及び外面を連結する底部８７とから成っており、上には開口部８８がある。この開口部８８を通して、係止片８３が外面８５と押さえ部８６との隙間に挿入され、前後方向への移動が抑制される。
【００３８】
開口部５より上側の側板上板３２には、Ｕ字型の貫通切り欠き部９１を介して区画された屈曲可能な側蓋把持用指挿入部９２が設けられている。この指挿入部９２は、樹脂の厚みを薄くし、或いは更に横溝を多数設けることにより、屈曲可能となっており、指の挿入による側蓋の把持が容易になるようになっている。
【００３９】
この具体例のコンテナーでは、図２に示すとおり、種々の開口状態を選択することができる。図２には、記号（イ）、（ロ）及び（ハ）で示す３種類の開口状態が示されている。
【００４０】
開口状態（イ）：
側蓋の上部材６２のみがヒンジ６１からほぼ１８０゜（図２において反時計方向に１８０゜）折り畳まれており、開口部５の約半分が開口されている。この場合、側蓋６を上方に引き出し、側蓋上部材６２と対応側板３２との係合部８１での係合状態を解除し、一方、下部材６３と対応側板３３との係合部８２係合状態は維持することにより、上部材６２がヒンジ６１を中心として手前に回動し、上部材６２のみによる開口が可能となる。
【００４１】
開口状態（ロ）：
側蓋３が２点鎖線で示す折り畳まれた状態で反時計方向に約９０度回動され、水平状態となって、開口部５全体の開口が行われる。この場合、側蓋６を上方に引き出し、側蓋上部材６２と対応側板３２との係合部８１での係合状態及び側蓋下部材６３と対応側板３３との係合部８２での係合状態を全て解除し、上部材６２が下部材６３に重ねられた状態で、リンク７と共に第１の軸７１を中心として手前に回動する。
【００４２】
開口状態（ハ）：
側蓋３が破線で示す折り畳まれた状態で約１８０度回動され、垂下状態となって、開口部５全体の開口が行われる。この場合、開口状態（ロ）の側蓋を更に９０度回動させる。側蓋上部材６２は側蓋下部材６３と下板３３との間に安定に保持される。
【００４３】
図２において、長側板３の開口５の上側には、上の段のコンテナーの側蓋６’が垂下して示されているが、この側蓋６’も折り畳まれて寸法が縮小しており、開口５からの物品の出し入れの障害とならないことが了解される。勿論、垂下している側蓋が何らかの障害となる場合には、折り畳まれた側蓋を開口状態（ロ）とすることもできる。
【００４４】
長側板３の開口部５を閉じるには、上記の開口操作と逆の操作を行えばよい。即ち、側蓋６を時計方向に回動させると共に、上方に引き出し、側蓋上部材６２と対応側板３２との係合部８１での係合及び側蓋下部材６３と対応側板３３との係合部８２での係合を行えばよい。
【００４５】
上記の側蓋と長側板との係合状態では、長側板を側蓋ごと折り畳むことが可能である。空のコンテナーを縮小状態に折り畳むには、短側板４、４を内方向に約９０度回動させ、次いで長側板３、３を谷折り状態で折り畳む。これにより、図４に示す高さの縮小された状態に折り畳むことができる。物品を収容できる状態に組み立てるには、上記の折り畳みと逆の操作を行えばよい。
【００４６】
本発明においては、側蓋を折り畳んだ状態でしかも水平な状態で固定することもでき、こうすることにより、段積み状態での開口操作や物品の出し入れ操作を一層円滑に行うことができる。
【００４７】
本発明のこの好適な態様を示す図８乃至１０において、長側板下板３３の開口部よりも下側には、折り畳まれた側蓋６の上部材６２の上端部を受ける凹部３９’が形成されており、図１０に示すとおり、折り畳まれた側蓋上部材６２の先端６９は長側板下板の凹部３９’に係合して、開かれた側蓋は安定に水平状態に維持される。この具体例のコンテナーにおける上枠１、底板２、長側板３、短側板４、リンク７及び係合部８の構造は、図１乃至３に示したものと基本的には同一である。
【００４８】
図１０は、図８のコンテナーにおける長孔及びリンクの動作を説明するものであって、図６の（Ａ）は側蓋６（下部材６３）が引き落とされている状態を示し、一方、（Ｂ）は側蓋６（下部材６３）が上方に引き出されている状態を示す。状態（Ａ）では、軸７２（突起部７４ａ或いはピン７８ａ）が長孔６４の最上昇位置にあり、状態（Ｂ）では、軸７２（突起部７４ａ或いはピン７８ａ）が長孔６４の最下降位置にあって、側蓋６は長孔６４の寸法だけ引き出し及び引き落とし可能となっている。また、図６の（Ｃ）は、側蓋が回動された状態を示すものであり、リンク７はほぼ水平状態に回動されている。図６（Ｃ）に示すとおり、側蓋を折り畳むことなしに、垂下させることも可能であることも理解されるべきである。
【００４９】
コンテナーには、通常のコンテナーに使用されている熱可塑性合成樹脂が主として用いられ、コンテナーは通常射出成形にて製造される。樹脂としては、通常ポリエチレン、ポリプロピレン、エチレン−αオレフィン共重合体、その他のポリオレフィンが主に用いられるが、他の公知のプラスチックも使用される。
【００５０】
【発明の効果】
以上のように、本発明においては、折り畳みコンテナーの長側板に開口部を設け、この開口部に折り畳み可能な側蓋を前述した仕組みで設けることにより、側蓋の一部での開口操作や、側蓋の全体の折り畳んだ状態での開口操作が可能であり、これにより、物品の種類や、充填状態に応じて、開口状態を選択でき、しかも開口部からの収容物の取り出し操作や収納操作が段積み状態においても容易に行われると共に、側蓋の側壁へのロック操作も、別体として製造された格別のロック機構を用いることなく、容易にしかも確実に行われ、しかも開口部が側蓋と側板との係合により補強され、その結果開口部の強度低下も低く抑制されているという利点がある。
【図面の簡単な説明】
【図１】本発明のコンテナーの一例の一部断面正面図である。
【図２】図１のコンテナーの一部断面側面図である。
【図３】コンテナーの右半分を上面及び左半分を底面で示す上面及び底面図である。
【図４】図１のコンテナーを折り畳んだ状態で示す正面断面図である。
【図５】リンクの詳細構造を示す正面、両側面、側面断面、水平断面及び底面図である。
【図６】側蓋下部材の長孔と第２の軸との関係を示す説明図である。
【図７】係合部の拡大断面図である。
【図８】本発明のコンテナーの他の好適な例の正面図である。
【図９】図８のコンテナーの側蓋における長孔及びリンクの状態を示す説明図である。
【図１０】図８のコンテナーにおける側蓋の開口状態での固定状態を示す側面図である。
【図１】
0004006084.tif 000002
【図２】
0004006084.tif 000003
【図３】
0004006084.tif 000004
【図４】
0004006084.tif 000005
【図５】
0004006084.tif 000006
【図６】
0004006084.tif 000007
【図７】
0004006084.tif 000008
【図８】
0004006084.tif 000009
【図９】
0004006084.tif 000010
【図１０】
0004006084.tif 000011